(57)【要約】【課題】  計数される紙葉類の枚数と表示される紙葉類の枚数との間に不一致を生じさせることのないようにする。【解決手段】  鑑査部６により鑑査処理された紙幣を集積する集積部１８ａ〜１８ｆと、この集積手段１８ａ〜１８ｆに集積される紙幣の集積枚数を表示する第１の表示部２０ａ〜２０ｆと、集積部１８ａに集積された紙幣が集積部１８ａから取り出されるのに基づき、その取り出された紙幣の枚数を記憶保持する記憶保持部２３と、紙幣の搬送異常後の復帰処理動作に基づいて第１の表示部２０ａ〜２０ｆに表示される枚数を搬送異常発生前に集積部１８から集積紙幣が取り出されるのに基づいて表示された枚数に戻して表示させる制御部２５とを具備する。【選択図】      図３
2005263415.tif 000002
【特許請求の範囲】
【請求項１】
紙葉類を取り出す取出手段と、
この取出手段により取り出された紙葉類を搬送する搬送手段と、
この搬送手段により搬送される紙葉類を処理する処理手段と、
この処理手段により処理された紙葉類を集積する集積手段と、
この集積手段に集積される紙葉類の集積枚数を表示する表示手段と、
前記集積手段に集積された紙葉類が前記集積手段から取り出されるのに基づき、その取り出された紙葉類の枚数を記憶保持する記憶保持手段と、
前記搬送手段による搬送異常後の復帰処理動作に基づいて前記表示手段に表示される枚数を搬送異常発生前に前記集積手段から集積紙葉類が取り出されるのに基づいて表示された枚数に戻して表示させる制御手段と
を具備することを特徴とする紙葉類処理装置。
【請求項２】
紙葉類を取り出す取出手段と、
この取出手段により取り出された紙葉類を搬送する搬送手段と、
この搬送手段により搬送される紙葉類を処理する処理手段と、
この処理手段により処理された紙葉類を集積する集積手段と、
この集積手段に集積される紙葉類の集積枚数を表示する第１の表示手段と、
前記集積手段に集積された紙葉類が前記集積手段から取り出されるのに基づき、その取り出された紙葉類の枚数を記憶保持する記憶保持手段と、
前記処理手段を操作管理するための操作管理手段と、
この操作管理手段に設けられ、前記第１の表示手段によって表示される枚数を加算表示する第２の表示手段と、
前記搬送手段による搬送異常後の復帰処理動作に基づいて前記第１及び第２の表示手段に表示される枚数を搬送異常発生前に前記集積手段から集積紙葉類が取り出されるのに基づいて表示された枚数に戻して表示させる制御手段と
を具備することを特徴とする紙葉類処理装置。
【請求項３】
紙葉類を取り出す取出手段と、
この取出手段により取り出された紙葉類を搬送する搬送手段と、
この搬送手段により搬送される紙葉類を処理する処理手段と、
この処理手段により処理されて搬送される紙葉類を羽根間に導入させて所定方向に案内する羽根車と、
この羽根車により案内される紙葉類を集積する集積手段と、
この集積手段に集積される紙葉類の集積枚数を表示する表示手段と、
前記集積手段に集積された紙葉類が前記集積手段から取り出されるのに基づき、その取り出された紙葉類の枚数を記憶保持する記憶保持手段と、
前記搬送手段による搬送異常後の復帰処理動作に基づいて前記表示手段に表示される枚数を搬送異常発生前に前記集積手段から集積紙葉類が取り出されることにより表示された枚数に戻して表示させ、かつ前記搬送手段の動作に先行して前記羽根車を動作させる制御手段と
を具備することを特徴とする紙葉類処理装置。
【請求項４】
紙葉類を取り出す取出手段と、
この取出手段により取り出された紙葉類を搬送する搬送手段と、
この搬送手段により搬送される紙葉類を処理する処理手段と、
この処理手段により処理されて搬送される紙葉類を羽根間に導入させて所定方向に案内する羽根車と、
この羽根車によって案内される紙葉類を集積する集積手段と、
この集積手段に集積される紙葉類の集積枚数を表示する第１の表示手段と、
前記集積手段に集積された紙葉類が前記集積手段から取り出されるのに基づき、その取り出された紙葉類の枚数を記憶保持する記憶保持手段と、
前記処理手段を操作管理するための操作管理手段と、
この操作管理手段に設けられ、前記表示手段によって表示される枚数を加算表示する第２の表示手段と、
前記搬送手段による搬送異常後の復帰処理動作に基づいて前記第１及び第２の表示手段に表示される枚数を搬送異常発生前に前記集積手段から集積紙葉類が取り出されることにより表示された枚数に戻して表示させ、かつ前記搬送手段の動作に先行して前記羽根車を動作させる制御手段と
を具備することを特徴とする紙葉類処理装置。
【請求項５】
紙葉類を取り出す取出手段と、
この取出手段により取り出された紙葉類を搬送する搬送手段と、
この搬送手段により搬送される紙葉類を処理する処理手段と、
この処理手段により処理されて搬送される紙葉類を羽根間に導入させて所定方向に案内する羽根車と、
この羽根車により案内される紙葉類を集積する集積手段と、
前記集積手段に集積された紙葉類が前記集積手段から取り出されるのに基づき、その取り出された紙葉類の枚数を記憶保持する記憶保持手段と、
前記搬送手段による搬送異常後の復帰処理動作に基づいて前記搬送手段の動作に先行して前記羽根車を動作させる制御手段と
を具備することを特徴とする紙葉類処理装置。
【発明の詳細な説明】
【技術分野】
【０００１】
本発明は、例えば、銀行等で使用される現金処理機として適用される紙葉類処理装置に関する。
【背景技術】
【０００２】
この種の紙葉類処理装置には多種類の紙幣を一括して取込部に収容し、この取込部から紙幣を１枚ずつ取り込んで搬送路に沿って搬送し、鑑査部で鑑査するものがある。この鑑査部で鑑査された紙葉類はその鑑査結果に基づいて正券、或いは排除券に振り分けられ、集積部に集積されるようになっている。集積部には紙幣の集積枚数を表示する表示部が設けられている（例えば、特許文献１参照。）。
【０００３】
また、集積部には搬送路から搬出される紙葉類を羽根間に導入させて集積部内に導く羽根車が備えられている（例えば、特許文献２参照。）。
【特許文献１】特開平９−６２８９２号公報
【特許文献２】特開２００２−１９３５１７号公報
【発明の開示】
【発明が解決しようとする課題】
【０００４】
しかしながら、従来においては、例えば、紙詰まりなどの異常が発生した後、装置を復帰させても異常時に集積していた枚数を表示部に表示している。この異常発生時の集積券は未計数券が混在する可能性があるため、枚数保証ができない。
【０００５】
このため、復帰した装置に表示されている紙幣枚数は保証不可の枚数となっており、計数券の枚数と表示される券の枚数との間に不一致が生じるという問題がある。
【０００６】
また、紙詰まりなどのエラー後の復帰処理で、搬送路の残留チェックのため、搬送路を駆動する。この場合、羽根車の近くに残留券がある状態で搬送路を駆動すると、残留券が羽根車にぶつかり、券を損傷させてしまう虞があった。
【０００７】
本発明は上記事情に着目してなされたもので、その目的とするところは、計数される紙葉類の枚数と表示される紙葉類の枚数との間に不一致を生じさせることなく、また、処理動作再開時に紙葉類を損傷させることなく集積できるようにした紙葉類処理装置を提供することにある。
【課題を解決するための手段】
【０００８】
上記課題を解決するため、請求項１記載のものは、紙葉類を取り出す取出手段と、この取出手段により取り出された紙葉類を搬送する搬送手段と、この搬送手段により搬送される紙葉類を処理する処理手段と、この処理手段により処理された紙葉類を集積する集積手段と、この集積手段に集積される紙葉類の集積枚数を表示する表示手段と、前記集積手段に集積された紙葉類が前記集積手段から取り出されるのに基づき、その取り出された紙葉類の枚数を記憶保持する記憶保持手段と、前記搬送手段による搬送異常後の復帰処理動作に基づいて前記表示手段に表示される枚数を搬送異常発生前に前記集積手段から集積紙葉類が取り出されるのに基づいて表示された枚数に戻して表示させる制御手段とを具備することを特徴とする。
【０００９】
請求項２記載のものは、紙葉類を取り出す取出手段と、この取出手段により取り出された紙葉類を搬送する搬送手段と、この搬送手段により搬送される紙葉類を処理する処理手段と、この処理手段により処理された紙葉類を集積する集積手段と、この集積手段に集積される紙葉類の集積枚数を表示する第１の表示手段と、前記集積手段に集積された紙葉類が前記集積手段から取り出されるのに基づき、その取り出された紙葉類の枚数を記憶保持する記憶保持手段と、前記処理手段を操作管理するための操作管理手段と、この操作管理手段に設けられ、前記第１の表示手段によって表示される枚数を加算表示する第２の表示手段と、前記搬送手段による搬送異常後の復帰処理動作に基づいて前記第１及び第２の表示手段に表示される枚数を搬送異常発生前に前記集積手段から集積紙葉類が取り出されるのに基づいて表示された枚数に戻して表示させる制御手段と具備することを特徴とする。
【００１０】
請求項３記載のものは、紙葉類を取り出す取出手段と、この取出手段により取り出された紙葉類を搬送する搬送手段と、この搬送手段により搬送される紙葉類を処理する処理手段と、この処理手段により処理されて搬送される紙葉類を羽根間に導入させて所定方向に案内する羽根車と、この羽根車により案内される紙葉類を集積する集積手段と、この集積手段に集積される紙葉類の集積枚数を表示する表示手段と、前記集積手段に集積された紙葉類が前記集積手段から取り出されるのに基づき、その取り出された紙葉類の枚数を記憶保持する記憶保持手段と、前記搬送手段による搬送異常後の復帰処理動作に基づいて前記表示手段に表示される枚数を搬送異常発生前に前記集積手段から集積紙葉類が取り出されることにより表示された枚数に戻して表示させ、かつ前記搬送手段の動作に先行して前記羽根車を動作させる制御手段とを具備することを特徴とする。
【００１１】
請求項４記載のものは、紙葉類を取り出す取出手段と、この取出手段により取り出された紙葉類を搬送する搬送手段と、この搬送手段により搬送される紙葉類を処理する処理手段と、この処理手段により処理されて搬送される紙葉類を羽根間に導入させて所定方向に案内する羽根車と、この羽根車によって案内される紙葉類を集積する集積手段と、この集積手段に集積される紙葉類の集積枚数を表示する第１の表示手段と、前記集積手段に集積された紙葉類が前記集積手段から取り出されるのに基づき、その取り出された紙葉類の枚数を記憶保持する記憶保持手段と、前記処理手段を操作管理するための操作管理手段と、この操作管理手段に設けられ、前記表示手段によって表示される枚数を加算表示する第２の表示手段と、前記搬送手段による搬送異常後の復帰処理動作に基づいて前記第１及び第２の表示手段に表示される枚数を搬送異常発生前に前記集積手段から集積紙葉類が取り出されることにより表示された枚数に戻して表示させ、かつ前記搬送手段の動作に先行して前記羽根車を動作させる制御手段と特徴とする。
【００１２】
請求項５記載のものは、紙葉類を取り出す取出手段と、この取出手段により取り出された紙葉類を搬送する搬送手段と、この搬送手段により搬送される紙葉類を処理する処理手段と、この処理手段により処理されて搬送される紙葉類を羽根間に導入させて所定方向に案内する羽根車と、この羽根車により案内される紙葉類を集積する集積手段と、前記集積手段に集積された紙葉類が前記集積手段から取り出されるのに基づき、その取り出された紙葉類の枚数を記憶保持する記憶保持手段と、前記搬送手段による搬送異常後の復帰処理動作に基づいて前記搬送手段の動作に先行して前記羽根車を動作させる制御手段とを具備することを特徴とする。
【発明の効果】
【００１３】
本発明によれば、異常発生後の復帰処理時に計数される紙葉類の枚数と表示される紙葉類の枚数との間に不一致を生じさせることなく、また、復帰処理時には紙葉類を損傷させることなく集積手段に集積できる。
【発明を実施するための最良の形態】
【００１４】
以下、本発明を図面に示す実施の形態を参照して詳細に説明する。  
図１は本発明の一実施の形態である入金整理機１を概略的に示す構成図である。
【００１５】
この入金整理機１は、紙葉類としての紙幣を取込み処理するための紙幣処理部２と、当該紙幣処理部２に接続され、紙幣処理部２を操作、管理するために汎用パソコンシステムに専用アプリケーションソフトを組み込んだ操作管理手段としてのテラーマシン３とから構成されている。テラーマシン３には後述する集積部１８ａ〜１８ｆから取り出される紙幣の枚数を加算表示する第２の表示手段としての第２の表示部３ａが設けられている。
【００１６】
紙幣処理部２はその一側部側に取込部５を有し、この取込部５には立位状態で水平方向に積層された紙幣Ｐがセットされる。このセットされた紙幣Ｐは、１枚ずつ逐次取り込まれ紙幣処理部２内に搬送される。
【００１７】
紙幣処理部２内には、搬送される紙幣Ｐの良否や、金種などを鑑別するための処理手段としての紙幣鑑査装置６が設けられている。この紙幣鑑査装置６で鑑別された紙幣Ｐは搬送路８に沿って搬送される。搬送路８はその中途部から第１の分岐搬送路９と第２の分岐搬送路１０に分岐される。搬送路８の分岐部には、紙幣鑑査装置６の鑑別結果に基づいて、第１或いは第２の分岐搬送路９，１０に振り分けるゲート１２ａが設けられている。
【００１８】
第２の分岐搬送路１０には、排除すべきものと判別された紙幣が振り分けられて搬送され、排除券集積部１２に集積される。第１の分岐搬送路９には、正券と判別された紙幣が振り分けられて搬送される。
【００１９】
第１の分岐搬送路９の紙幣搬送方向下流側には紙幣搬送方向に所定間隔を存して複数のゲート１４ａ〜１４ｅが配設され、これらゲート１４ａ〜１４ｅにより紙幣が振り分けられる。ゲート１４ａ〜１４ｅの紙幣振分方向にはそれぞれ羽根車１６ａ〜１６ｆ及び集積手段としての集積部１８ａ〜１８ｆが配設されている。
【００２０】
集積部１８ａ〜１８ｆの下部側にはそれぞれ集積枚数を表示する表示部２０ａ〜２０ｆが設けられている。なお、テラーマシン３により集積部１８ａ〜１８ｆにおける紙幣集積制限枚数を設定することができるようになっている。
【００２１】
図２は、羽根車１６ａ〜１６ｆを示すものである。羽根車１６ａ〜１６ｆは１６枚の羽根２１から構成され、この羽根２１間に紙幣を入り込ませて案内し、集積部１８ａ〜１８ｆに安定的に集積できるようになっている。
【００２２】
図３は、紙葉類処理装置の駆動制御系を示すブロック図である。
【００２３】
図３中２５は制御手段としての制御部で、この制御部２５には制御回路を介して第１及び第２の表示部２０ａ〜２０ｆ，３ａ、羽根車の駆動部２６及び搬送機構の駆動部２７が接続されている。また、制御部２５には送信回路を介してテラーマシン３及び記憶保持手段としての記憶保持部２９が接続されている。
【００２４】
記憶保持部２９は集積部１８ａ〜１８ｆに集積された紙幣が集積部１８ａ〜１８ｆから取り出される毎にその枚数を記憶保持するものである。
【００２５】
第１の表示部２０ａ〜２０ｆは、集積部１８ａ〜１８ｆに紙幣が集積される毎に随時その枚数を表示し、所定枚数（例えば、１００枚）集積された紙幣が取り出されると表示枚数を０にするようになっている。テラーマシン３の第２の表示部３ａは、集積部１８ａ〜１８ｆに集積された紙幣が集積部１８ａ〜１８ｆから取り出される毎にその枚数を加算表示するものである。
【００２６】
なお、テラーマシン３は処理装置で紙幣の搬送ジャム等の動作異常が発生した場合において、ジャム紙幣を除去した後には、復帰処理のための指令を制御部２５に送信するようになっている。
【００２７】
次に、上記したように構成される紙葉類処理装置の動作について図４のフローチャートを参照して説明する。
【００２８】
まず、操作者はテラーマシン３により紙幣処理部２に対して、希望券種の集積個所を集積部１８ａ〜１８ｆのうち１箇所以上を指示する。例えば紙幣処理部２に指示される第１の希望券種を１０ドルとし、この集積個所を集積部１８ａとする。また、第２の希望券種を２０ドルとし、この集積個所を集積部１８ｂとする。集積部１８ｃ〜１８ｆには券種を指定しない。また、テラーマシン３より集積制限枚数を１００枚と指定する。
【００２９】
この状態から取引を開始すると、羽根車１６ａ〜１６ｆが回転を開始する。そして、取込部５より紙幣が取り込まれ、この紙幣は紙幣鑑査装置６により正、不良、金種などが判別される。正券と判別された紙幣は分岐ゲート１２ａにより第１の搬送路９に搬送され、不良券と判別された紙幣は第２の搬送路１０に搬送される。
【００３０】
紙幣鑑査装置６で例えば、１０ドル正常券と判別された紙幣は集積部１８ａに集積され、２０ドル正常券と判別された紙幣は集積部１８ｂに集積される（ステップＳ１）。この集積部１８ａ，１８ｂに集積される紙幣の枚数は表示部２０ａ，２０ｂに随時表示される（ステップＳ２）。なお、１０ドル、２０ドル以外の正常券は集積部１８ｃ〜１８ｆに集積される。
【００３１】
例えば、集積部１８ａに集積される１０ドル紙幣が制限枚数の１００枚に達すると、表示部１８ａａは「１００」を表示するとともに、取込部５からの取り込みが停止される。集積部１８ａに集積された１００枚の１０ドル紙幣は操作者によって集積部１８ａから取り出される（ステップＳ３）。この取出された紙幣枚数は保証された枚数として入金整理機１の記憶保持部２３に記憶保持され（スイテップＳ４）、表示部２０ａは「０」を表示する。
【００３２】
また、こののち、取込部５からの紙幣の取り込みが再開され、紙幣鑑査装置６で１０ドル紙幣と判別された券は再び集積部１８ａに集積される。
【００３３】
集積部１８ａに集積される１０ドル紙幣が制限枚数の１００枚に達する前に、取込部５の券がすべて取り込まれると、券の搬送が停止されるとともに、羽根車１６ａ〜１６ｆの回転も停止されて全動作が停止する。
【００３４】
集積部１８ａに集積された制限枚数に達していない１０ドル紙幣は、操作者によって抜き取られる。この抜き取られた１０ドル紙幣は、保証された枚数として前述の入金整理機１の記憶保持部２３に保持され、先に記憶保持されている枚数に加算される（ステップＳ４）。またテラーマシン３の表示部３ａにも同様の加算された枚数が表示される。
【００３５】
この後、取込部５に紙幣をセットして処理を再開し、集積部１８ａに１０ドル紙幣が集積されると、前述の制限枚数に満たない枚数に引き続いた枚数が表示部２０ａに随時表示される。
【００３６】
取込部５の券がすべて取り込まれるまで同様の処理を繰り返すが、すべて取り込まれる前に紙詰まり等の異常が発生すると（ステップＳ５）、取込みが停止されるとともに、紙幣の搬送、羽根車１６ａ〜１６ｆの回転も停止され、全動作が停止される。
【００３７】
このとき表示部２０ａには、全動作停止時に表示されていた枚数がそのまま表示される。またテラーマシン３の表示部３ａにも同様の枚数が表示される。しかしながら、紙詰まりなどの異常時には集積間違いが発生することもあるため、この表示枚数は保証できるものとはなっていない。
【００３８】
この全停止後、操作者により装置内の紙詰まり券および残留券が取り除かれると、テラーマシン３から入金整理機１に復帰処理指示が出される。この指示に基づき入金整理機１は復帰処理を行う（ステップＳ６）。
【００３９】
この復帰処理動作に基づき、制御部２５は表示部２０ａの表示を前述の制限枚数に満たないで抜き取った保証された枚数表示に戻す（ステップＳ７）。またテラーマシン３の表示部３ａにも同様の保証された枚数表示に戻される。
【００４０】
このように保証された枚数表示に戻すことにより、表示部２０ａに表示される枚数は保証された枚数とすることが可能となる。またテラーマシン３の表示ディスプレイ３ａに表示される枚数も保証された枚数とすることが可能となる。
【００４１】
なお、ステップＳ５で異常が発生しないと判別されると、処理が完了したか否かが判別され（ステップＳ８）、完了したと判別された場合は、終了される。また、完了しないと判別された場合には、ステップＳ１に戻り、上記した動作が繰り返される。
【００４２】
ところで、上記した復帰処理時には、残留券有無の確認のため、搬送路８〜１０、及び羽根車１６ａ〜１６ｆが動作される。このとき、羽根車１６ａ〜１６ｆの近傍に残留券が有ると、図６に示すように羽根車１６ａ（〜１６ｆ）に残留券Ｐが衝突して損傷する虞がある。
【００４３】
また、羽根車１６ａ〜１６ｆの動作開始よりも前に搬送路８〜１０の動作を開始すると、前述と同様に羽根車１６ａ〜１６ｆの近傍に残留券が有る場合は、羽根車１６ａ〜１６ｆに残留券が衝突して損傷してしまう虞がある。
【００４４】
そこで、本発明では羽根車１６ａ〜１６ｆを搬送路８〜１０よりも先に動作を開始させ、こののちに、搬送路９の動作を開始する。これにより図５に示すように羽根車１６ａ〜１６ｆの近傍に残留券Ｐが有る場合でも羽根車１６ａ〜１６ｆが逃げる動作となり、券の損傷を防ぐことが可能となる。
【００４５】
上記したように、この実施の形態によれば、紙幣の搬送異常の発生後に復帰動作させる場合には、表示部２０ａ，３ａに表示される集積枚数を搬送異常の発生前に集積部１８ａから紙幣が抜き取られた際に表示部２０ａ，３ａに表示されていた集積枚数に戻して表示させるため、復帰動作時に表示される集積枚数を保証された枚数とすることができる。
【００４６】
また、異常発生後の復帰動作時には、搬送手段の動作開始に先立って、羽根車１６ａを回転駆動させるため、復帰動作時に羽根車１６ａに送出される紙幣を羽根車１６ａの羽根体２１に当接させることなく、羽根体２１間に導入させることができ、紙幣の損傷を防止することができる。
【００４７】
なお、本発明は、上記一実施の形態に限られることなく、その要旨の範囲内で種々変形実施可能なことは勿論である。
【図面の簡単な説明】
【００４８】
【図１】本発明の一実施例である紙葉類処理装置を示す概略的構成図。
【図２】同紙葉類処理装置の集積部に設けられる羽根車を示す正面図。
【図３】同紙葉類処理装置の駆動制御系を示すブロック図。
【図４】同紙葉類処理装置の処理動作を示すフローチャート図。
【図５】同羽根車に紙幣が導入される状態を示す正面図。
【図６】羽根車に紙幣が導入される従来の例を示す正面図。
【符号の説明】
【００４９】
Ｐ…紙葉類、３…テラーマシン（操作管理手段）、３ａ…第２の表示部（第２の表示手段）、５…取出部（取出手段）、６…鑑査部（処理手段）、８，９…搬送路（搬送手段）、１６ａ〜１６ｆ…羽根車、１８ａ〜１８ｆ…集積手段、２０ａ〜２０ｆ…第１の表示手段、２３…記憶保持部（記憶保持手段）、２５…制御部（制御手段）。
【図１】
2005263415.tif 000003
【図２】
2005263415.tif 000004
【図３】
2005263415.tif 000005
【図４】
2005263415.tif 000006
【図５】
2005263415.tif 000007
【図６】
2005263415.tif 000008